(57)【要約】【課題】近接撮影時に、カメラが備えているストロボ発光器を利用して被写体を均一に照明することを可能にする。【解決手段】交換レンズマウント部とストロボ光出射窓とを前面に備えたカメラの交換レンズマウント部に対し着脱自在に取付け可能な、接写用撮影レンズ３を備えた鏡筒２と、この鏡筒２のカメラへの取付け時にカメラのストロボ光出射窓の前面に配置されるストロボ光入射口５と、鏡筒２の撮影レンズ３の近傍に配置されたストロボ光出射面６と、ストロボ光出射面６とストロボ光入射口５との間に配置された導光手段７とを備えた接写レンズユニット１を近接撮影時にカメラに取り付ける。【選択図】          図１
2004177665.tif 000002
【特許請求の範囲】
【請求項１】
交換レンズマウント部とストロボ光出射窓とを前面に備えたカメラの前記交換レンズマウント部に対し着脱自在に取付け可能な、接写用撮影レンズを備えた鏡筒を有する接写レンズユニットであって、
前記鏡筒の前記カメラへの取付け時に該カメラの前記ストロボ光出射窓の前面に配置されるストロボ光入射口と、前記鏡筒の前記撮影レンズの近傍に配置されたストロボ光出射面と、該ストロボ光出射面と前記ストロボ光入射口との間に配置された導光手段と、を備えていることを特徴とする接写レンズユニット。
【請求項２】
前記ストロボ光出射面が、前記カメラの撮影レンズの周囲を取り囲むように配置されていることを特徴とする請求項１記載の接写レンズユニット。
【請求項３】
前記導光手段が複数本の光ファイバからなることを特徴とする請求項１または２記載の接写レンズユニット。
【発明の詳細な説明】
【０００１】
【発明の属する技術分野】
本発明は、交換レンズマウント部とストロボとを備えたカメラに対し近接撮影時に取り付けられる着脱自在な接写レンズユニットに関するものである。
【０００２】
【従来の技術】
交換レンズマウント部をカメラの前面に備え、撮影レンズを交換することができるカメラシステムでは、交換レンズの種類を選択することによって、被写体に近接しての顕微鏡並みの高倍率撮影から、通常撮影、望遠撮影まで行なうことができる。
【０００３】
しかしながら、近接撮影時には、被写体がレンズ鏡筒およびカメラ本体の影になって十分に明るくないことがあり、またストロボを発光させても、ストロボ光出射窓がレンズ鏡筒に対して一方側に離れた位置にあることから光が十分に拡散しないため、被写体を均一に照明することができず、被写体の一部が白飛びしたり、鏡筒の影が入ったりする問題がある。
【０００４】
このような問題の解決策として、例えば特許文献１には、近接しての高倍率撮影において被写体を良好に照明することができる、撮影レンズ、撮像素子および光源が一体になった顕微鏡カメラユニットが記載されている。また特許文献２には、やはり近接撮影時に被写体を良好に照明することができるビデオカメラ用ミクロレンズアタッチメントが記載されており、このミクロレンズアタッチメントは、別筐体の光源を有し、この光源からの光を光ファイバでレンズ鏡筒の前端の周囲に導光するように構成されている。
【０００５】
さらに、特許文献３には、通常撮影時と近接撮影時の双方で被写体を良好に照明することができるカメラが記載されている。このカメラは、撮影レンズから離間した位置にある第１のストロボ光出射窓に加えて、撮影レンズを取り囲むように第２のストロボ光出射窓を配設し、発光部からのストロボ光を上記第２のストロボ光出射窓に導光するための光ファイバのような導光手段をカメラ本体内部に設けるとともに、通常撮影モードのときには、発光部からのストロボ光の光路を第１のストロボ光出射窓に通じる方向に切り替え、近接撮影モードのときには、上記光路を第２のストロボ光出射窓に通じる方向に切り替える光路切替え機構をカメラ本体内部に設けている。
【０００６】
【特許文献１】特開２０００−１２１９４９号公報
【０００７】
【特許文献２】登録実用新案第３００３５９２号公報
【０００８】
【特許文献３】特開２０００−１４７６１２号公報
【０００９】
【発明が解決しようとする課題】
しかしながら、上述した特許文献１に記載された顕微鏡カメラユニットは、近接しての高倍率撮影において被写体を良好に照明することはできるものの、このユニットを使用して通常撮影をすることも、望遠撮影をすることも不可能である。
【００１０】
また、特許文献２に記載されたアタッチメントユニットは、別筐体の光源ならびにこの光源とアタッチメントユニットとを接続する光ファイバを必要とするために、取り回しが悪くなることに加えて、システムを構成する部品が増えるためにコストが上昇する欠点がある。
【００１１】
さらに、特許文献３に記載されたカメラでは、顕微鏡並みの高倍率撮影から、通常撮影、望遠撮影までを行なうことは単一のレンズでは不可能であり、交換レンズシステムを採用する必要がある。ところが、交換レンズシステムを採用した場合には、カメラ本体内に光路切替え機構および導光手段を有していると、カメラ本体が大型になり、コスト上昇を招いて好ましくない。また、カメラ本体の機構のみでは、交換レンズ毎に照明条件を最適化することはできない。
【００１２】
上述の事情に鑑み、本発明は、撮影レンズが交換できるカメラシステムにおいて、近接撮影時に、そのカメラが備えているストロボ発光器を利用して被写体を均一に照明することができる接写レンズユニットを提供することを目的とするものである。
【００１３】
【課題を解決するための手段】
本発明は、交換レンズマウント部とストロボ光出射窓とを前面に備えたカメラの上記交換レンズマウント部に対し着脱自在に取付け可能な、接写用撮影レンズを備えた鏡筒を有する接写レンズユニットであって、
上記鏡筒のカメラへの取付け時にこのカメラの上記ストロボ光出射窓の前面に配置されるストロボ光入射口と、上記鏡筒の撮影レンズの近傍に配置されたストロボ光出射面と、このストロボ光出射面と上記ストロボ光入射口との間に配置された導光手段とを備えていることを特徴とするものである。
【００１４】
上記接写レンズユニットのストロボ光出射面は、カメラの撮影レンズを取り囲むように配置されることが好ましいが、撮影レンズ周辺に二つ以上に分割して配置してもよい。あるいは分割せずに撮影レンズの近傍に配置してもよい。
【００１５】
上記導光手段としては、複数本の光ファイバ、ガラスもしくはプラスチックのブロック、空洞等を用いることができる。また、撮影レンズの周辺部をストロボ光入射口からストロボ光を導光手段に効率よく導くために、ストロボ光入射口と導光手段との間に、シリンドリカルレンズ、回折レンズのような集光手段を設けてもよい。さらに、被写体をより均一に照明するために、照明レンズ、拡散板等をストロボ光出射面に設けてもよい。
【００１６】
【発明の効果】
本発明による接写レンズユニットは、接写用撮影レンズを備えた鏡筒のカメラへの取付け時にこのカメラのストロボ光出射窓の前面に配置されるストロボ光入射口と、上記鏡筒の撮影レンズの近傍に配置されたストロボ光出射面と、このストロボ光出射面と上記ストロボ光入射口との間に配置された導光手段とを備えていることにより、被写体に近接した状態での高倍率撮影においても被写体を良好に撮影することができる。
【００１７】
また、カメラ本体のストロボ光を光源として利用するために、別の光源ならびにこの光源から光を撮影レンズ近傍に導く光ファイバ等が不要である。
【００１８】
さらに、ストロボ光の光路を切り替えるような複雑な機構をカメラ本体に設けることも不要であり、したがって、カメラ本体が大型にならず、コスト上昇も招かない。
【００１９】
さらに、照明条件は交換レンズのみで決められるため、交換レンズ毎に照明条件を最適にすることができる。また、交換レンズシステムであるため、別の交換レンズを用いれば、通常撮影、望遠撮影を行なうことができる。
【００２０】
【発明の実施の形態】
以下、図面を参照して、本発明の実施の形態について詳細に説明する。
【００２１】
図１は、本発明による接写レンズユニットの斜視図、図２は本発明による接写レンズユニットが取り付けられるカメラの概略的斜視図である。
【００２２】
図２のカメラ１０の前面中央部には、交換レンズマウント部１１が設けられ、この交換レンズマウント部１１の例えば上方に、内蔵されたストロボ発光器からのストロボ光を出射させるストロボ光出射窓１２が配置されている。
【００２３】
図１に示す接写レンズユニット１は、図２のカメラ１０の交換レンズマウント部１１に対し、着脱自在に取付け可能な鏡筒２を有し、この鏡筒２には接写用撮影レンズ３が装備されている。鏡筒２の上面後部にはチャンネル部４が固定され、このチャンネル部４は、鏡筒２から上方に延び、さらに後方に延びる四角形の断面形状を有し、チャンネル部４の先端部の背面側には、ストロボ光入射口５が開口している。なお、チャンネル部４は、交換レンズマウント部１１に対するストロボ光出射窓１２の位置および距離に応じてその形状・寸法が任意に決定される。
【００２４】
鏡筒２の撮影レンズ３を取り囲む円環状の前面にはストロボ光出射面６が形成され、このストロボ光出射面６とストロボ光入射口５との間には、導光手段としての複数本の光ファイバ７がチャンネル部７内を通って延設されており、これら光ファイバ７の一方の端面は、ストロボ光入射口５において互いに密接して整列し、光ファイバ７の他方の端面は、ストロボ光出射面６上に略等間隔に整列している。なお、図１においては、光ファイバ７の一部にみが描かれている。
【００２５】
このような構成を有する接写レンズユニット１を、図２のカメラ１０の交換レンズマウント部１１に取り付けると、図３に示すように、接写レンズユニット１のストロボ光入射口５がカメラ１０のストロボ光出射窓１２の前面に密接して配置される。
【００２６】
したがって、カメラ１０おストロボが発光すると、ストロボ光出射窓１２から前方へ出射したストロボ光が、接写レンズユニット１のストロボ光入射口５に整列した複数本の光ファイバ７の一方の端面から光ファイバ７内に入射し、光ファイバ７内を伝播して、ストロボ光出射面６上に整列した他方の端面から前方へ出射する。
【００２７】
このようなる構成を有する接写レンズユニット１を用いれば、鏡筒２の円環状のストロボ光出射面６からストロボ光が均一に照射され、これによって、近接撮影時に、被写体を均一に照明することができるので、被写体の一部が白飛びしたり、鏡筒２の影が入ったりすることがなくなり、良好な近接ストロボ撮影が可能になる。
【００２８】
また、ストロボ光の光路を切り替えるような複雑な機構をカメラ１０側に設けることが不要となるから、カメラ１０が大型にならず、コスト上昇も招かない。さらに、カメラ１０のストロボ光出射窓１２から出射するストロボ光を光源として利用するために、別の光源ならびにこの光源から光を撮影レンズ近傍に導く光ファイバ等が不要である。
【００２９】
さらに、照明条件が交換レンズのみで決められるため、交換レンズ毎に照明条件を最適にすることができる。また、交換レンズシステムであるため、別の交換レンズを用いれば、通常撮影、望遠撮影を行なうことができる。
【００３０】
なお、本実施の形態においては、円環状のストロボ光出射面６を鏡筒２の前面に備えているが、本発明はこれに限定されず、円環状以外の形状を有するものであってもよい。例えば、ストロボ光出射面が、撮影レンズの上下および左右に離れて設けられている形式のものでもよい。
【００３１】
さらに、ストロボ光導光手段は、光ファイバ７に限らず、ガラスもしくはプラスチックのブロック、空洞等を用いることができる。あるいは、撮影レンズ３の周辺部をストロボ光導光手段の一部として用いてもよい。
【００３２】
さらに、カメラ１０のストロボ光出射窓１２から導光手段に効率よくストロボ光を導くために、シリンドリカルレンズ、回折レンズ等の集光手段をストロボ光入射口５に設けてもよい。また、被写体をより均一に照明するために、ストロボ光出射面６に、照明レンズ，光拡散板等を設けてもよい。
【図面の簡単な説明】
【図１】本発明による接写レンズユニットの実施の形態の斜視図
【図２】図１の接写レンズユニットが取り付けられるカメラの概略的斜視図
【図３】図１の接写レンズユニットを図２のカメラに取り付けた状態を示す斜視図
【符号の説明】
１    接写レンズユニット
２    鏡筒
３    接写用撮影レンズ
４    チャンネル部
５    ストロボ光入射口
６    ストロボ光出射面
７    光ファイバ（導光手段）
１０    カメラ
１１    交換レンズマウント部
１２    ストロボ光出射窓
【図１】
2004177665.tif 000003
【図２】
2004177665.tif 000004
【図３】
2004177665.tif 000005